(57)【特許請求の範囲】
【請求項１】
ケース本体に対して蓋部材がスライド変位せしめられて組み付けられることにより基板収容空間が形成される箱体構造とされており、該基板収容空間に遊技機の制御基板を収容するようになっている遊技機用基板ケースにおいて、
前記ケース本体に本体側筒部が設けられていると共に、前記蓋部材には該ケース本体の該本体側筒部に対応する位置に蓋側筒部が設けられており、該蓋部材が該ケース本体に対して組み付けられた状態で、該組み付けられた状態を解除するスライド変位方向に対して交差する方向で該本体側筒部と該蓋側筒部のそれぞれの内部空間が互いに繋がってそれら本体側筒部と蓋側筒部に跨って連結部材が軸方向に挿入され且つかかる挿入状態に固定的に保持されて、該連結部材によって該本体側筒部と該蓋側筒部の相対変位が阻止されることにより該ケース本体に対する該蓋部材の開操作が阻止される開操作阻止機構が前記スライド変位方向の一方の側の該ケース本体と該蓋部材との壁部に少なくとも一対設けられていると共に、対を為す該開操作阻止機構のそれぞれにおいて、該連結部材が該蓋側筒部と該本体側筒部のうちいずれか一方の筒部に固定されると共に他方の筒部には固定されないことにより、対を為す該開操作阻止機構のうち一方の開操作阻止機構は該蓋側筒部を該蓋部材と該本体側筒部から分離することで該一方の開操作阻止機構による該ケース本体に対する該蓋部材の開操作の阻止状態が解除されるようになっている一方、他方の該開操作阻止機構は該本体側筒部を該ケース本体と該蓋側筒部から分離することで該他方の開操作阻止機構による該ケース本体に対する該蓋部材の開操作の阻止状態が解除されるようになっており、対を為す該開操作阻止機構の両方において該ケース本体に対する該蓋部材の開操作の阻止状態が解除されることによって、該ケース本体に対する該蓋部材の開操作が可能となることを特徴とする遊技機用基板ケース。
【発明の詳細な説明】
【技術分野】
【０００１】
本発明は、ケース本体と蓋部材を組み合わせることによって、制御基板を収容する基板収容空間が内部に形成される遊技機用基板ケースに関するものである。
【背景技術】
【０００２】
従来から、パチンコ機やスロットマシン等の遊技機の作動を制御する制御基板は、遊技機用基板ケースに収容された状態で、遊技機の裏側等の適当な位置に取り付けられている。
【０００３】
そこにおいて、遊技機用基板ケースは、一般に、ケース本体に蓋部材を組み合わせて、ケース本体の開口を蓋部材で覆蓋した中空箱体構造とされている。また、かかる遊技機用基板ケースにおいては、内部に収容されている制御基板への不正行為を防止するために、従来から様々な対策が施されている。
【０００４】
具体的には、例えば、特許文献１に示されているように、ケース本体とそれに組み付けられる蓋部材のそれぞれに筒部を設けて、これらの筒部にロックピンを挿入して固定的に保持せしめることにより、ケース本体と蓋部材の相対変位（基板ケースを開ける方向への変位）を阻止して、収容されている制御基板への不正行為を阻止するようにした遊技機用基板ケースが知られている。
【０００５】
また、このようなロックピンを用いた開操作阻止機構は、ロックピンによる封止状態の安定化を図るために、特許文献１に示されているように、一対設けられることが、一般的である。
【０００６】
ところで、遊技機用基板ケースでは、ロックピンによる封止状態とされた後に、遊技機用基板ケースを開封することが必要になる場合がある。例えば、所定の検査機関による検査がある場合には、遊技機用基板ケースを開封して、内部に収容されている制御基板を取り出す必要がある。
【０００７】
そこにおいて、遊技機用基板ケースの開封は、特許文献１にも記載されているように、一般的には、ケース本体に設けられた筒部と蓋部材に設けられた筒部の何れか一方を遊技機用基板ケースから分離することで行われるようになっている。これにより、遊技機用基板ケースが開封された痕跡を遊技機用基板ケースに残すことが出来るようになっている。
【０００８】
しかしながら、特許文献１に記載の遊技機用基板ケースにおいては、遊技機用基板ケースの封止状態の解除に際して遊技基板ケースから分離される筒部がケース本体と蓋部材の何れか一方にしか設けられていないことから、以下のような不具合が生じる。
【０００９】
すなわち、遊技機が設置されている遊技ホールの従業員等は、遊技機用基板ケースが開封された痕跡を利用して、遊技機用基板ケースに収容されている制御基板の検査の有無やメンテナンス等の管理をするのであるが、遊技機の裏側における遊技機用基板ケースの取付位置等によっては、遊技機用基板ケースが開封された痕跡が見難くなり、管理が難しくなるという問題があった。
【００１０】
なお、遊技機用基板ケースを遊技機から取り外して開封の痕跡を確認することも可能であるが、遊技機用基板ケースの脱着作業が面倒であるという問題がある。加えて、遊技ホールには、多数の遊技機が設置されていることから、全ての遊技機に対して、このような方法で確認作業をすることは、現実的ではない。
【先行技術文献】
【特許文献】
【００１１】
【特許文献１】特開２００７−２６８０６２号公報
【発明の概要】
【発明が解決しようとする課題】
【００１２】
ここにおいて、本発明は、上述の如き事情を背景として為されたものであって、その解決課題とするところは、遊技機への取付位置等によって開封した痕跡を確認する作業に悪影響が出難いようにすることが出来る、新規な構造の遊技機用基板ケースを提供することにある。
【課題を解決するための手段】
【００１３】
以下、このような課題を解決するために為された本発明の態様を記載する。なお、以下に記載の各態様において採用される構成要素は、可能な限り任意の組み合わせで採用可能である。
【００１４】
本発明は、ケース本体に対して蓋部材がスライド変位せしめられて組み付けられることにより基板収容空間が形成される箱体構造とされており、かかる基板収容空間に遊技機の制御基板を収容するようになっている遊技機用基板ケースにおいて、ケース本体に本体側筒部が設けられていると共に、蓋部材にはケース本体の本体側筒部に対応する位置に蓋側筒部が設けられており、蓋部材がケース本体に対して組み付けられた状態で、該組み付けられた状態を解除するスライド変位方向に対して交差する方向で本体側筒部と蓋側筒部のそれぞれの内部空間が互いに繋がってそれら本体側筒部と蓋側筒部に跨って連結部材が軸方向に挿入され且つかかる挿入状態に固定的に保持されて、連結部材によって本体側筒部と蓋側筒部の相対変位が阻止されることによりケース本体に対する蓋部材の開操作が阻止される開操作阻止機構がスライド変位方向の一方の側のケース本体と蓋部材との壁部に少なくとも一対設けられていると共に、対を為す開操作阻止機構のそれぞれにおいて、連結部材が蓋側筒部と本体側筒部のうちいずれか一方の筒部に固定されると共に他方の筒部には固定されないことにより、対を為す開操作阻止機構のうち一方の開操作阻止機構は、蓋側筒部を蓋部材と本体側筒部から分離することで、かかる一方の開操作阻止機構によるケース本体に対する蓋部材の開操作の阻止状態が解除されるようになっている一方、他方の開操作阻止機構は、本体側筒部をケース本体と蓋側筒部から分離することで、かかる他方の開操作阻止機構によるケース本体に対する蓋部材の開操作の阻止状態が解除されるようになっており、対を為す開操作阻止機構の両方においてケース本体に対する蓋部材の開操作の阻止状態が解除されることによって、ケース本体に対する蓋部材の開操作が可能となることを、特徴とする。
【００１５】
このような本発明に従う構造とされた遊技機用基板ケースにおいては、一方の開操作阻止機構によってケース本体に対する蓋部材の開操作が阻止された状態を解除する場合には、蓋側筒部を蓋部材から分離するようになっており、また、他方の開操作阻止機構によってケース本体に対する蓋部材の開操作が阻止された状態を解除する場合には、本体側筒部をケース本体から分離するようになっていることから、一方の開操作阻止機構による開操作阻止状態の解除に際して蓋側筒部が分離された痕跡を蓋部材に残すことが可能になると共に、他方の開操作阻止機構による開操作阻止状態の解除に際して本体側筒部が分離された痕跡をケース本体に残すことが可能となる。
【００１６】
すなわち、本発明に係る遊技機用基板ケースにおいては、遊技機用基板ケースを構成するケース本体と蓋部材の両方に対して、開操作阻止機構による開操作阻止状態が解除された痕跡を残すことが可能となり、しかも、対を為す開操作阻止機構の両方において開操作阻止状態が解除されなければ、ケース本体に対する蓋部材の開操作が出来ないようになっていることから、ケース本体と蓋部材の何れか一方において開操作阻止機構による開操作阻止状態が解除された痕跡を確認すれば良くなり、開操作阻止機構による開操作阻止状態を解除した痕跡が、遊技機用基板ケースの取付位置等によって、確認し難くなることを有利に回避することが可能となる。
【図面の簡単な説明】
【００１７】
【図１】本発明の一実施形態としての遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に蓋部材が組み付けられた状態での第一の本体側筒部と第一の蓋側筒部の位置関係を説明するための要部拡大断面図。
【図９】ケース本体に蓋部材が組み付けられた状態での第二の本体側筒部と第二の蓋側筒部の位置関係を説明するための要部拡大断面図。
【図１０】図１の遊技機用基板ケースに採用されているスプリングピンの正面図。
【図１１】図１の遊技機用基板ケースに採用されているスプリングピンの平面図。
【図１２】図１０に示されたスプリングピンに固定される組付ピンの正面図。
【図１３】図１０のスプリングピンに組付ピンが固定された状態を示す正面図。
【図１４】図１３のスプリングピンが第一の蓋側筒部の下側収容部に挿し込まれた状態を示す断面図。
【図１５】図１３のスプリングピンが第一の蓋側筒部の下側収容部と第一の本体側筒部に挿し込まれた状態を示す断面図。
【図１６】図１３のスプリングピンが第二の本体側筒部の上側収容部に挿し込まれた状態を示す断面図。
【図１７】図１３のスプリングピンが第二の本体側筒部の上側収容部と第二の蓋側筒部に挿し込まれた状態を示す断面図。
【発明を実施するための形態】
【００１８】
以下、本発明を更に具体的に明らかにするために、本発明の実施形態について、図面を参照しつつ、詳細に説明する。
【００１９】
図１には、本発明の一実施形態としての遊技機用基板ケース１０が示されている。この遊技機用基板ケース１０は、ケース本体１２に対して蓋部材１４が組み付けられることによって、内部に基板収容空間１６が形成される箱体構造とされており、かかる基板収容空間１６に制御基板１８を収容した状態で、遊技機の裏側の適当な位置に取り付けられるようになっている。なお、遊技機は、パチンコ機やスロットマシン等である。
【００２０】
より詳細には、ケース本体１２は、ポリカーボネート（ＰＣ）等の透明な硬質の合成樹脂材料によって形成されており、図２乃至４に示されているように、全体として、底板２０の外周縁部に沿って全周に亘って延びる周壁２２が立設されて、上側に開口する開口部２４が形成された構造とされている。
【００２１】
そこにおいて、本実施形態では、ケース本体１２の長手方向（図２における左右方向）で対向位置せしめられた一対の長手方向対向壁部２６，２６のそれぞれに対して、上方に開口して長手方向対向壁部２６の長手方向（ケース本体１２の幅方向、即ち、図２における上下方向）に延びるガイド溝２８が形成されている。
【００２２】
また、ケース本体１２の幅方向一方（図２における下方）の側壁部３０には、第一の本体側筒部３２と第二の本体側筒部３４が、それぞれ、複数（本実施形態では、四つ）設けられている。そこにおいて、複数の第一の本体側筒部３２は、ケース本体１２の長手方向中央よりも長手方向一方の側で側壁部３０に沿って一列に並んだ状態で纏めて設けられており、複数の第二の本体側筒部３４は、ケース本体１２の長手方向中央よりも長手方向他方の側で側壁部３０に沿って一列に並んだ状態で纏めて設けられている。
【００２３】
そこにおいて、本実施形態の第一の本体側筒部３２は有底円筒形状とされており、その周壁部分が、ケース本体１２の幅方向一方の側壁部３０に対して、取付片３６によって取り付けられている。これにより、各第一の本体側筒部３２がケース本体１２の外周縁部としての周壁２２に対して一体形成されている。
【００２４】
また、本実施形態では、各第一の本体側筒部３２の開口方向（中心軸線が延びる方向）は、ケース本体１２の開口部２４の開口方向（底板２０に対して略直交する方向）に対して略平行であって、且つ、ケース本体１２と同じ方向に開口している。
【００２５】
さらに、本実施形態では、各第一の本体側筒部３２の上方において、Ｕ字断面で第一の本体側筒部３２の開口方向（軸方向）に延びる下段収容部３８が一体形成されている。そして、下段収容部３８の底壁に形成された連通孔によって、下段収容部３８と第一の本体側筒部３２が連通せしめられている。
【００２６】
更にまた、本実施形態では、各下段収容部３８の上方において、コ字状断面で第一の本体側筒部３２の開口方向（軸方向）に延びる上段収容部４０が一体形成されている。そして、上段収容部４０の底壁に形成された切欠によって、上段収容部４０と下段収容部３８が連通せしめられている。なお、本実施形態では、隣り合う二つの上段収容部４０は、隣り合う方向に位置する側壁部（ケース本体１２の幅方向に延びる側壁部）を共有している。
【００２７】
一方、本実施形態の第二の本体側筒部３４は、矩形断面で下方に開口する枠体乃至は筒体形状とされた下側収容部４２の上底壁に対して略一定の断面でストレートに延びる円筒形状とされた上側収容部４４が同一中心軸線上で軸方向上方に突設された構造とされており、これら下側収容部４２と上側収容部４４は、下側収容部４２の上底壁に形成された連通孔を通じて、相互に連通せしめられている。
【００２８】
特に、本実施形態では、各第二の本体側筒部３４の開口方向（中心軸線が延びる方向）、即ち、下側収容部４２と上側収容部４４の開口方向（中心軸線が延びる方向）が、ケース本体１２の開口部２４の開口方向（底板２０に対して略直交する方向）に対して略平行であって、且つ、ケース本体１２の開口方向とは逆方向に開口している。
【００２９】
このような構造とされた第二の本体側筒部３４は、下側収容部４２が一対の取付片４６，４６によってケース本体１２における幅方向一方の側壁部３０に取り付けられている。これにより、各第二の本体側筒部３４がケース本体１２の外周縁部としての周壁２２に対して一体形成されている。
【００３０】
一方、蓋部材１４は、ケース本体１２と同様に、ポリカーボネート（ＰＣ）等の透明な硬質の合成樹脂材料によって形成されており、図５乃至７に示されているように、全体として、天板４８の外周縁部に沿って延びる周壁５０が立設されて、下側に開口する開口部が形成された構造とされている。なお、本実施形態の天板４８は、その幅方向（図５中の上下方向）中間部分において傾斜部分が設けられており、それによって、幅方向の両端において天板４８から開口端までの距離が異ならされている。
【００３１】
また、蓋部材１４の幅方向一方の側壁部５２には、第一の蓋側筒部５４と第二の蓋側筒部５６が、それぞれ、複数（本実施形態では、四つ）設けられている。そこにおいて、複数の第一の蓋側筒部５４は、蓋部材１４の長手方向中央よりも長手方向一方の側で側壁部５２に沿って一列に並んだ状態で纏めて設けられており、複数の第二の蓋側筒部５６は、蓋部材１４の長手方向中央よりも長手方向他方の側で側壁部５２に沿って一列に並んだ状態で纏めて設けられている。
【００３２】
そこにおいて、本実施形態の第一の蓋側筒部５４は、矩形断面で開口する枠体乃至は筒体形状とされた上側収容部５８の底壁に対して略一定の断面でストレートに延びる円筒形状とされた下側収容部６０が同一中心軸線上で軸方向下方に突設された構造とされており、これら上側収容部５８と下側収容部６０は、上側収容部５８の底壁に形成された連通孔を通じて、相互に連通せしめられている。
【００３３】
特に、本実施形態では、各第一の蓋側筒部５４の開口方向（中心軸線が延びる方向）、即ち、上側収容部５８と下側収容部６０の開口方向（中心軸線が延びる方向）が、蓋部材１４の開口方向（天板４８に略直交する方向）に対して略平行であって、且つ、蓋部材１４の開口方向と反対の方向に開口している。
【００３４】
このような構造とされた第一の蓋側筒部５４は、上側収容部５８が一対の取付片６２，６２によって蓋部材１４における幅方向一方の側壁部５２に取り付けられている。これにより、各第一の蓋側筒部５４が蓋部材１４の外周縁部としての周壁５０に対して一体形成されているのである。
【００３５】
一方、本実施形態の第二の蓋側筒部５６は、逆向きの有底円筒形状とされており、その周壁部分が、蓋部材１４の幅方向一方の側壁部５２に対して、取付片６４によって取り付けられている。これにより、各第二の蓋側筒部５６が蓋部材１４の外周縁部としての周壁５０に対して一体形成されている。
【００３６】
また、本実施形態では、各第二の蓋側筒部５６の開口方向（中心軸線が延びる方向）は、蓋部材１４の開口部の開口方向（天板４８に対して略直交する方向）に対して略平行であって、且つ、蓋部材１４の開口方向と同じ方向に開口している。
【００３７】
さらに、本実施形態では，各第二の蓋側筒部５６の下方において、Ｕ字断面で第二の蓋側筒部５６の開口方向（軸方向）に延びる上段収容部６６が一体形成されている。そして、上段収容部６６の上底壁に形成された連通孔によって、上段収容部６６と第二の蓋側筒部５６が連通せしめられている。
【００３８】
更にまた、本実施形態では、各上段収容部６６の下方において、コ字状断面で第二の蓋側筒部５６の開口方向（軸方向）に延びる下段収容部６８が一体形成されている。そして、下段収容部６８の上底壁に形成された切欠によって、下段収容部６８と上段収容部６６が連通せしめられている。なお、本実施形態では、隣り合う二つの下段収容部６８は、隣り合う方向に位置する側壁部（蓋部材１４の幅方向に延びる側壁部）を共有している。
【００３９】
続いて、上述の如き構造とされた蓋部材１４を、ケース本体１２に対して組み付ける方法について、説明する。先ず、蓋部材１４の長手方向（図５における左右方向）で対向位置せしめられる一対の長手方向対向壁部７０，７０を、ケース本体１２の長手方向両端に形成された一対のガイド溝２８，２８に嵌め入れる。その際、ケース本体１２における各ガイド溝２８内に設けられた係止片７２，７２は、蓋部材１４における各長手方向対向壁部７０に形成された係止用切欠７４，７４内に収容位置せしめられるようになっている。なお、本実施形態の係止片７２は、それぞれ、各ガイド溝２８の側壁部分に対して一体的に設けられている。
【００４０】
そこにおいて、本実施形態では、上述の如く、蓋部材１４における一対の長手方向対向壁部７０，７０がケース本体１２における一対のガイド溝２８，２８に嵌め入れられた状態で、ケース本体１２の底板２０と蓋部材１４における天板４８は、天板４８における傾斜部分を除いて略平行とされている。
【００４１】
また、図面上では明示されていないが、本実施形態では、上述の如く、ケース本体１２に設けられたガイド溝２８，２８に対して蓋部材１４における長手方向対向壁部７０，７０を嵌め入れる前において、制御基板１８は、そこに実装されているコネクタ７６が蓋部材１４に形成された窓７８から外部に突出した状態で、蓋部材１４に対してネジ止めされるようになっている。なお、制御基板１８は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００４２】
このような状態から係止片７２が係止用切欠７４に係止される方向（ケース本体１２の開口部２４を蓋部材１４で覆蓋する方向、即ち、蓋を閉める方向））へと蓋部材１４をケース本体１２に対してスライド変位（本実施形態では、底板２０に対して天板４８を平行移動させるようなスライド変位）せしめることにより、係止片７２が係止用切欠７４に係止されるようになっている。これにより、ケース本体１２に対して蓋部材１４が組み付けられた状態となって、図１に示されているように、ケース本体１２の開口部２４が蓋部材１４で覆蓋されて、内部に基板収容空間１６が形成された箱体構造の遊技機用基板ケース１０が形成されることとなる。このことから明らかなように、本実施形態では、制御基板１８は、蓋部材１４にネジ止めされた状態で、ケース本体１２に入れられることとなる。
【００４３】
なお、本実施形態では、上述の如く、ケース本体１２の開口部２４が蓋部材１４で覆蓋された状態で、図１に示されているように、ケース本体１２の幅方向他方の側壁部に形成された突起８０が、蓋部材１４における幅方向他方の側壁部に形成された挿通孔８２に嵌め入れられるようになっている。
【００４４】
また、上述の如く、蓋部材１４をケース本体１２に対してスライド変位せしめることにより、図８に示されているように、第一の蓋側筒部５４における下側収容部６０が第一の本体側筒部３２の上方に設けられた下段収容部３８内に位置せしめられると共に、第一の蓋側筒部５４における上側収容部５８が第一の蓋側筒部５４の上段収容部４０内に位置せしめられるようになっている。これにより、第一の蓋側筒部５４と第一の本体側筒部３２が、ケース本体１２に対して蓋部材１４が組み付けられた状態で、同一中心軸線上に位置せしめられるようになっている。即ち、蓋部材１４において第一の本体側筒部３２に対応する位置に第一の蓋側筒部５４が設けられているのである。そして、上述の如く、第一の蓋側筒部５４と第一の本体側筒部３２が同一中心軸線上に位置せしめられることにより、第一の蓋側筒部５４の内部空間８４と第一の本体側筒部３２の内部空間８６が後述するスプリングピン９２の挿入を許容する位置にあることとなる。このことから明らかなように、本実施形態では、ケース本体１２に対して蓋部材１４が組み付けられた状態で、第一の蓋側筒部５４と第一の本体側筒部３２が同一中心軸線上に位置せしめられることにより、第一の蓋側筒部５４の内部空間８４と第一の本体側筒部３２の内部空間８６が繋がった状態とされているのである。なお、本実施形態では、上述の如く、第一の蓋側筒部５４と第一の本体側筒部３２が同一中心軸線上に位置せしめられた状態で、第一の蓋側筒部５４における下側収容部６０の下端面と第一の本体側筒部３２に一体形成された下段収容部３８の底面との間には、隙間が形成されている。
【００４５】
更にまた、上述の如く、蓋部材１４をケース本体１２に対してスライド変位せしめると、図９に示されているように、第二の本体側筒部３４における上側収容部４４が第二の蓋側筒部５６の下方に設けられた上段収容部６６内に位置せしめられると共に、第二の本体側筒部３４における下側収容部４２が第二の蓋側筒部５６の下段収容部６８内に位置せしめられるようになっている。これにより、第二の本体側筒部３４と第二の蓋側筒部５６が、ケース本体１２に対して蓋部材１４が組み付けられた状態で、同一中心軸線上に位置せしめられるようになっている。即ち、蓋部材１４において第二の蓋側筒部５６に対応する位置に第二の本体側筒部３４が設けられているのである。そして、上述の如く、第二の本体側筒部３４と第二の蓋側筒部５６が同一中心軸線上に位置せしめられることにより、第二の本体側筒部３４の内部空間８８と第二の蓋側筒部５６の内部空間９０が後述するスプリングピン９２の挿入を許容する位置にあることとなる。このことから明らかなように、本実施形態では、ケース本体１２に対して蓋部材１４が組み付けられた状態で、第二の本体側筒部３４と第二の蓋側筒部５６が同一中心軸線上に位置せしめられることにより、第二の本体側筒部３４の内部空間８８と第二の蓋側筒部５６の内部空間９０が繋がった状態とされているのである。なお、本実施形態では、上述の如く、第二の本体側筒部３４と第二の蓋側筒部５６が同一中心軸線上に位置せしめられた状態で、第二の本体側筒部３４における上側収容部４４の上端面と第二の蓋側筒部５６に一体形成された上段収容部６６の上底面との間には、隙間が形成されている。
【００４６】
また、本実施形態では、底板２０に対して天板４８が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、第一の蓋側筒部５４と第一の本体側筒部３２の並ぶ方向（これら第一の蓋側筒部５４と第一の本体側筒部３２に共通の中心軸線が延びる方向）や、第二の蓋側筒部５６と第二の本体側筒部３４の並ぶ方向（これら第二の蓋側筒部５６と第二の本体側筒部３４に共通の中心軸線が延びる方向）が、蓋部材１４のケース本体１２に対するスライド方向に略直交しているのである。
【００４７】
そして、上述の如く、同一中心軸線上に位置せしめられた第一の本体側筒部３２と第一の蓋側筒部５４に対して、ロックピンとしてのスプリングピン９２が嵌め入れられるようになっている。また、上述の如く同一中心軸線上に位置せしめられた第二の本体側筒部３４と第二の蓋側筒部５６に対しても、ロックピンとしてのスプリングピン９２が嵌め入れられるようになっている。なお、本実施形態では、第一の本体側筒部３２と第一の蓋側筒部５４に嵌め入れられるスプリングピン９２と、第二の本体側筒部３４と第二の蓋側筒部５６に嵌め入れられるスプリングピン９２は、同じであることから、一方のスプリングピン９２のみをついて説明し、他方のスプリングピン９２については、その詳細な説明は省略する。
【００４８】
本実施形態のスプリングピン９２は、鉄鋼やばね鋼，ばね用ステンレス鋼等で形成されており、図１０及び図１１に示されているように、周方向の一部において軸方向に蛇行しながら延びる切り込み９４が形成された筒形状とされている。なお、このようなスプリングピン９２は、例えば、長手方向両端が鋸歯状に形成された板材を適当な機械や工具を用いて丸めること等によって、有利に形成される。また、本実施形態のスプリングピン９２は、その軸方向両端の外側角部に対して、全周に亘って角取りが施されており、それによって、軸方向両端の何れの側からであっても、スプリングピン９２の第一の本体側筒部３２と第一の蓋側筒部５４への挿し込みや第二の本体側筒部３４と第二の蓋側筒部５６への挿し込みが有利に行われるようになっている。
【００４９】
また、本実施形態では、このようなスプリングピン９２に対して組付ピン９６が取り付けられている。この組付ピン９６は、ＡＢＳ等の合成樹脂材によって形成されており、図１２に示されているように、全体として矩形平板形状とされた板状片９８の中央部分から厚さ方向一方の側に突出する挿入突起としての挿入軸１００が一体形成された構造とされている。なお、本実施形態では、板状片９８の長手方向両端の下側角部に対して板状片９８の幅方向全長に亘って角取りが施されている。これにより、後述の如く、板状片９８が第一の蓋側筒部５４の上側収容部５８内における上側開口から底壁へ移動することを有利に実現することが可能となり、また、板状片９８が第二の本体側筒部３４の下側収容部４２内における下側開口から上底壁へ移動することを有利に実現することが可能となる。
【００５０】
このような構造とされた組付ピン９６は、図１３に示されているように、スプリングピン９２の軸方向一方の端から挿入軸１００が挿し込まれて固定されることにより、スプリングピン９２に対して組み付けられている。そこにおいて、図面上では明示されていないが、本実施形態では、このようにして、スプリングピン９２に組付ピン９６が組み付けられた状態で、スプリングピン９２を組付ピン９６が組み付けられた側から見ると、組付ピン９６における板状片９８によって、スプリングピン９２が覆い隠されるようになっている。
【００５１】
そして、上述の如く、組付ピン９６が組み付けられたスプリングピン９２は、図１４に示されているように、組付ピン９６が取り付けられていない軸方向他方の端部側から第一の蓋側筒部５４に挿入されるようになっている。
【００５２】
これにより、スプリングピン９２において第一の蓋側筒部５４の下側収容部６０に嵌め入れられている部分に対して、スプリングピン９２を締める力が作用することとなる。その結果、スプリングピン９２が元の形状に戻ろうとする力（復元力）が第一の蓋側筒部５４の下側収容部６０に作用することとなる。
【００５３】
そして、上述の如きスプリングピン９２による復元力が第一の蓋側筒部５４の下側収容部６０に作用することによって、スプリングピン９２の外周面が第一の蓋側筒部５４の下側収容部６０の内周面に押し当てられることとなる。その結果、スプリングピン９２の外周面と第一の蓋側筒部５４の下側収容部６０の内周面との間にスプリングピン９２の変位を阻止する方向に摩擦力が発生することとなる。
【００５４】
そして、上述の如く、スプリングピン９２が第一の蓋側筒部５４の下側収容部６０に挿入された状態からスプリングピン９２を摩擦力に抗して更に挿入することにより、図１５に示されているように、スプリングピン９２が第一の蓋側筒部５４と第一の本体側筒部３２とに跨って挿入された状態となる。
【００５５】
そこにおいて、本実施形態では、上述の如く、スプリングピン９２が第一の蓋側筒部５４と第一の本体側筒部３２とに跨って挿入された状態で、スプリングピン９２において第一の蓋側筒部５４の下側収容部６０に嵌め入れられている部分だけに対して、スプリングピン９２を締める力が作用するようになっている。即ち、本実施形態では、スプリングピン９２の軸方向変位を阻止する摩擦力が、スプリングピン９２における第一の蓋側筒部５４の下側収容部６０に嵌め入れられている部分のみに及ぼされるようになっているのであり、その結果、本実施形態では、スプリングピン９２は第一の蓋側筒部５４（下側収容部６０）のみに嵌められて圧入固定されているのである。
【００５６】
また、本実施形態では、上述の如く、スプリングピン９２が第一の蓋側筒部５４と第一の本体側筒部３２とに跨って挿入されていると共に、スプリングピン９２が第一の蓋側筒部５４に嵌められて圧入固定された状態で、スプリングピン９２の軸方向一方の端部は第一の蓋側筒部５４内に位置せしめられていると共に、スプリングピン９２の軸方向他方の端部は第一の本体側筒部３２内に位置せしめられている。これにより、ケース本体１２に対する蓋部材１４の開操作が、第一の蓋側筒部５４と第一の本体側筒部３２とに跨って挿入されて、その状態に固定的に保持されているスプリングピン９２で阻止されることとなる。即ち、本実施形態では、第一の蓋側筒部５４と第一の本体側筒部３２とスプリングピン９２によって、一方の開操作阻止機構１０２が構成されているのである。
【００５７】
更にまた、本実施形態では、図１４に示されている状態から更にスプリングピン９２を嵌め入れる際において、スプリングピン９２に固定された組付ピン９６における板状片９８の長手方向両端が、第一の蓋側筒部５４の上側収容部５８における長手方向（図１４における左右方向）で対向位置せしめられる一対の対向壁部１０４，１０４に対して摺動せしめられるようになっている。
【００５８】
そこにおいて、本実施形態では、一対の対向壁部１０４，１０４の対向面間距離が、第一の蓋側筒部５４の上側収容部５８の上側開口から底壁へと行くに従って次第に短くなるようにされている。これにより、スプリングピン９２に固定された組付ピン９６における板状片９８の長手方向両端は、第一の蓋側筒部５４の上側収容部５８の底壁側に行くに従って次第に第一の蓋側筒部５４の上側収容部５８の上側開口側への反りが大きくなるようになっている。
【００５９】
そして、板状片９８が第一の蓋側筒部５４の上側収容部５８の底壁に到達すると、板状片９８の長手方向両端部のそれぞれが、第一の蓋側筒部５４の上側収容部５８の上側開口側に反った状態から元の状態に戻ると共に、各対向壁部１０４の底壁付近に形成された開口穴１０６に入り込むようになっている。その結果、板状片９８の長手方向両端部のそれぞれが、各対向壁部１０４に形成された開口穴１０６の内周面（特に、スプリングピン９２の嵌め入れ方向とは反対側に位置する上側開口側の面）に係止されることにより、組付ピン９６が第一の蓋側筒部５４における上側収容部５８の上側開口側へ変位すること、延いては、スプリングピン９２の軸方向上方への変位（抜け方向への変位）が阻止されることとなる。
【００６０】
なお、本実施形態では、図１４に示された状態、即ち、スプリングピン９２が第一の蓋側筒部５４に嵌め入れられて、板状片９８の上面が第一の蓋側筒部５４の上端面と同じ高さに位置せしめられた状態で、板状片９８における幅方向両端と第一の蓋側筒部５４の上側収容部５８との間に隙間が形成されている。特に、本実施形態では、板状片９８の上面が第一の蓋側筒部５４（上側収容部５８）の上端面と同じ高さに位置せしめられた状態から板状片９８の長手方向両端のそれぞれが開口穴１０６に入り込むまでの間において、板状片９８における幅方向両端と第一の蓋側筒部５４の上側収容部５８との間には、それぞれ、隙間が形成されるようになっている。これにより、スプリングピン９２が第一の蓋側筒部５４と第一の本体側筒部３２とに跨って挿入された状態に至るまでの間において、板状片９８の長手方向両端のみが第一の蓋側筒部５４における上側収容部５８の上側開口側に反るようになっている。その結果、スプリングピン９２が第一の蓋側筒部５４に嵌め入れられた状態からスプリングピン９２が第一の蓋側筒部５４と第一の本体側筒部３２とに跨って挿入された状態に至るまでの抵抗を小さくすることが可能となる。
【００６１】
また、上述の如く、組付ピン９６が組み付けられたスプリングピン９２は、図１６に示されているように、組付ピン９６が取り付けられていない軸方向他方の端部側から第二の本体側筒部３４にも挿入されるようになっている。
【００６２】
これにより、スプリングピン９２において第二の本体側筒部３４の上側収容部４４に嵌め入れられている部分に対して、スプリングピン９２を締める力が作用することとなる。その結果、スプリングピン９２が元の形状に戻ろうとする力（復元力）が第二の本体側筒部３４の上側収容部４４に作用することとなる。
【００６３】
そして、上述の如きスプリングピン９２による復元力が第二の本体側筒部３４の上側収容部４４に作用することによって、スプリングピン９２の外周面が第二の本体側筒部３４における上側収容部４４の内周面に押し当てられることとなる。その結果、スプリングピン９２の外周面と第二の本体側筒部３４における上側収容部４４の内周面との間にスプリングピン９２の変位を阻止する方向に摩擦力が発生することとなる。
【００６４】
そして、上述の如く、スプリングピン９２が第二の本体側筒部３４の上側収容部４４に挿入された状態からスプリングピン９２を摩擦力に抗して更に挿入することにより、図１７に示されているように、スプリングピン９２が第二の本体側筒部３４と第二の蓋側筒部５６とに跨って挿入された状態となる。
【００６５】
そこにおいて、本実施形態では、上述の如く、スプリングピン９２が第二の本体側筒部３４と第二の蓋側筒部５６とに跨って挿入された状態で、スプリングピン９２において第二の本体側筒部３４の上側収容部４４に嵌め入れられている部分だけに対して、スプリングピン９２を締める力が作用するようになっている。即ち、本実施形態では、スプリングピン９２の軸方向変位を阻止する摩擦力が、スプリングピン９２における第二の本体側筒部３４の上側収容部４４に嵌め入れられている部分のみに及ぼされるようになっているのであり、その結果、本実施形態では、スプリングピン９２は第二の本体側筒部３４（上側収容部４４）のみに嵌められて圧入固定されているのである。
【００６６】
また、本実施形態では、上述の如く、スプリングピン９２が第二の本体側筒部３４と第二の蓋側筒部５６とに跨って挿入されていると共に、スプリングピン９２が第二の本体側筒部３４に嵌められて固定された状態で、スプリングピン９２の軸方向一方の端部は第二の本体側筒部３４内に位置せしめられていると共に、スプリングピン９２の軸方向他方の端部は第二の蓋側筒部５６内に位置せしめられている。これにより、ケース本体１２に対する蓋部材１４の開操作が、第二の本体側筒部３４と第二の蓋側筒部５６とに跨って挿入されて、その状態に固定的に保持されているスプリングピン９２で阻止されることとなる。即ち、本実施形態では、第二の本体側筒部３４と第二の蓋側筒部５６とスプリングピン９２によって、他方の開操作阻止機構１０８が構成されているのである。
【００６７】
更にまた、本実施形態では、図１６に示されている状態から更にスプリングピン９２を嵌め入れる際において、スプリングピン９２に固定された組付ピン９６における板状片９８の長手方向両端が、第二の本体側筒部３４の下側収容部４２における長手方向（図１６における左右方向）で対向位置せしめられる一対の対向壁部１１０，１１０に対して摺動せしめられるようになっている。
【００６８】
そこにおいて、本実施形態では、一対の対向壁部１１０，１１０の対向面間距離が、第二の本体側筒部３４の下側収容部４２の下側開口から上底壁へと行くに従って次第に短くなるようにされている。これにより、スプリングピン９２に固定された組付ピン９６における板状片９８の長手方向両端は、第二の本体側筒部３４における下側収容部４２の上底壁側に行くに従って次第に第二の本体側筒部３４における下側収容部４２の下側開口側への反りが大きくなるようになっている。
【００６９】
そして、板状片９８が第二の本体側筒部３４における下側収容部４２の上底壁に到達すると、板状片９８の長手方向両端部のそれぞれが、第二の本体側筒部３４における下側収容部４２の下側開口側に反った状態から元の状態に戻ると共に、各対向壁部１１０において上底壁付近に形成された開口穴１１２に入り込むようになっている。その結果、板状片９８の長手方向両端部のそれぞれが、各対向壁部１１０に形成された開口穴１１２の内周面（特に、スプリングピン９２の嵌め入れ方向とは反対側に位置する下側開口側の面）に係止されることにより、組付ピン９６が第二の本体側筒部３４における下側収容部４２の下側開口側へ変位すること、延いては、スプリングピン９２の軸方向上方への変位（抜け方向への変位）が阻止されることとなる。
【００７０】
なお、本実施形態では、図１６に示された状態、即ち、スプリングピン９２が第二の本体側筒部３４に嵌め入れられて、板状片９８の下面が第二の本体側筒部３４の下端面と同じ高さに位置せしめられた状態で、板状片９８における幅方向両端と第二の本体側筒部３４の下側収容部４２との間に隙間が形成されている。特に、本実施形態では、板状片９８の下面が第二の本体側筒部３４（下側収容部４２）の下端面と同じ高さに位置せしめられた状態から板状片９８の長手方向両端のそれぞれが開口穴１１２に入り込むまでの間において、板状片９８における幅方向両端と第二の本体側筒部３４の下側収容部４２との間には、それぞれ、隙間が形成されるようになっている。これにより、スプリングピン９２が第二の本体側筒部３４と第二の蓋側筒部５６とに跨って挿入された状態に至るまでの間において、板状片９８の長手方向両端のみが第二の本体側筒部３４における下側収容部４２の下側開口側に反るようになっている。その結果、スプリングピン９２が第二の本体側筒部３４に嵌め入れられた状態からスプリングピン９２が第二の本体側筒部３４と第二の蓋側筒部５６とに跨って挿入された状態に至るまでの抵抗を小さくすることが可能となる。
【００７１】
このような構造とされた遊技機用基板ケース１０においては、ケース本体１２に対して蓋部材１４が組み付けられた状態で、ケース本体１２に対する蓋部材１４のスライド変位方向に交差する方向に延びる中心軸線上に位置せしめられた第一の蓋側筒部５４と第一の本体側筒部３２とに跨って挿入されるスプリングピン９２が、第一の蓋側筒部５４における下側収容部６０に嵌められて圧入固定されていると共に、ケース本体１２に対する蓋部材１４のスライド変位方向に交差する方向に延びる中心軸線上に位置せしめられた第二の本体側筒部３４と第二の蓋側筒部５６とに跨って挿入されるスプリングピン９２が、第二の本体側筒部３４における上側収容部４４に嵌められて圧入固定されていることから、ケース本体１２に対する蓋部材１４の開蓋方向へのスライド変位が、一方の開操作阻止機構１０２を構成するスプリングピン９２と、他方の開操作阻止機構１０８を構成するスプリングピン９２とによって、即ち、一対の開操作阻止機構１０２，１０８によって阻止されることとなり、その結果、遊技機用基板ケース１０の封止状態が実現されるようになっている。因みに、本実施形態では、一方の開操作阻止機構１０２と他方の開操作阻止機構１０８が、それぞれ、四つずつ設けられていることから、対を為す開操作阻止機構１０２，１０８が合計で四つ設けられていることになり、遊技機用基板ケース１０の封止状態を４回実現することが可能となる。
【００７２】
一方、遊技機用基板ケース１０の封止状態を解除するには、一方の開操作阻止機構１０２を構成する第一の蓋側筒部５４を蓋部材１４に連結している一対の取付片６２，６２をニッパー等で切断して、第一の本体側筒部３２に挿入されているスプリングピン９２を第一の蓋側筒部５４ごと抜き取り、一方の開操作阻止機構１０２による開操作阻止状態を解除すると共に、他方の開操作阻止機構１０８を構成する第二の本体側筒部３４をケース本体１２に連結している一対の取付片４６，４６をニッパー等で切断して、第二の蓋側筒部５６に挿入されているスプリングピン９２を第二の本体側筒部３４ごと抜き取り、他方の開操作阻止機構１０８による開操作阻止状態を解除することによって、実現される。
【００７３】
従って、上述の如き構造とされた遊技機用基板ケース１０においては、封止状態を解除すると、その痕跡がケース本体１２と蓋部材１４の両方に残ることとなり、遊技機用基板ケース１０の取付位置等によって、遊技機用基板ケース１０の封止状態を解除した痕跡が確認し難くなることを有利に回避することが可能となる。
【００７４】
そこにおいて、本実施形態では、ロックピンとして軸直角方向にばね作用を生ぜしめるスプリングピン９２が採用されていることから、第一の蓋側筒部５４における下側収容部６０や第二の本体側筒部３４における上側収容部４４に成形時の寸法誤差があったり、遊技機用基板ケース１０の周辺温度の変化があった場合でも、スプリングピン９２の軸方向変位が有利に阻止されることとなる。その結果、遊技機用基板ケース１０の安定した封止状態を有利に実現することが可能となる。
【００７５】
以上、本発明の一実施形態について詳述してきたが、これはあくまでも例示であって、本発明は、かかる実施形態における具体的な記載によって、何等、限定的に解釈されるものではない。
【００７６】
例えば、前記実施形態において、ロックピンとして中実ピンを採用することも可能である。また、前記実施形態において、組付ピン９６は、必ずしも必要なものではない。
【００７７】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【符号の説明】
【００７８】
１０：遊技機用基板ケース，１２：ケース本体，１４：蓋部材，１６：基板収容空間，１８：制御基板，３２：第一の本体側筒部，３４：第二の本体側筒部，５４：第一の蓋側筒部，５６：第二の蓋側筒部，９２：スプリングピン，１０２：一方の開操作阻止機構，１０８：他方の開操作阻止機構
【図１】
0005187606.tif 000002
【図２】
0005187606.tif 000003
【図３】
0005187606.tif 000004
【図４】
0005187606.tif 000005
【図５】
0005187606.tif 000006
【図６】
0005187606.tif 000007
【図７】
0005187606.tif 000008
【図８】
0005187606.tif 000009
【図９】
0005187606.tif 000010
【図１０】
0005187606.tif 000011
【図１１】
0005187606.tif 000012
【図１２】
0005187606.tif 000013
【図１３】
0005187606.tif 000014
【図１４】
0005187606.tif 000015
【図１５】
0005187606.tif 000016
【図１６】
0005187606.tif 000017
【図１７】
0005187606.tif 000018